(57)【要約】【課題】画像データとそれに関連する撮影情報等の情報とを、分かりやすく表示できる画像表示装置を提供する。【解決手段】表示画面の短辺方向を縦方向として、表示画面内に１画面分の第１表示領域を形成する第１の表示モードと、表示画面の長辺方向を縦方向として、表示画面内に２画面分の第１表示領域４１及び第２表示領域４２を形成し、第１表示領域４１と第２表示領域４２とを上下に並べるようにして形成する第２の表示モードとを備えた画像表示装置である。第２表示領域４２には、第１表示領域４１で表示している画像データに関連する情報を表示する。【選択図】図１０
2008022514.tif 000002
【特許請求の範囲】
【請求項１】
少なくとも互いに対向する２つの長辺と、互いに対向する２つの短辺とを含む略四角形状の表示画面を備えた表示部と、
前記表示部の表示動作を制御する制御部とを備えた画像表示装置であって、
前記制御部は、
前記表示画面の短辺方向を縦方向として、前記表示画面内に１画面分の1画面表示領域を形成する第１の表示モードと、
前記表示画面の長辺方向を縦方向として、前記表示画面内に２画面分の第１表示領域及び第２表示領域を形成し、前記第１表示領域と前記第２表示領域とを上下に並べるようにして形成する第２の表示モードとを備え、
前記制御部は、前記第２の表示モードにおいて、
前記第１表示領域に記憶部から読み出した画像データを表示し、
前記第２表示領域に前記第１表示領域に表示する画像データに関連する情報を表示する、
画像表示装置。
【請求項２】
前記制御部は、
前記第１の表示モードにおいて、前記表示画面の短辺方向を縦方向として文字や図形データを表示させるよう制御する一方、
前記第２の表示モードにおいて、前記表示画面の長辺方向を縦方向として文字や図形データを表示させるよう制御する、
請求項１に記載の画像表示装置。
【請求項３】
前記制御部は、
前記第２の表示モードにおいて、前記第１表示領域に表示されている画像データを外部機器に出力する旨の指示が入力された場合、
前記第１表示領域に表示された画像データおよび前記第２表示領域に表示された情報を上下に並べるようにしてデータを形成し、そのデータを前記外部機器に出力するよう制御する、
請求項１に記載の画像表示装置。
【請求項４】
少なくとも互いに対向する２つの長辺と、互いに対向する２つの短辺とを含む略四角形状の表示画面を備えた表示部と、
使用者の操作により入力される情報を受け付ける入力手段と、
前記表示部の表示動作を制御する制御部とを備えた画像表示装置であって、
前記制御部は、
前記表示画面の短辺方向を縦方向として、前記表示画面内に１画面分の1画面表示領域を形成する第１の表示モードと、
前記表示画面の長辺方向を縦方向として、前記表示画面内に２画面分の第１表示領域及び第２表示領域を形成し、前記第１表示領域と前記第２表示領域とを上下に並べるようにして形成する第２の表示モードとを備え、
前記制御部は、前記第２の表示モードにおいて、
前記第１表示領域に記憶部から読み出した画像データを表示し、
前記入力手段により受け付けた情報を設定するための情報設定画面として前記第２表示領域を機能させ、
第２表示領域を情報設定画面として機能させているときに前記入力手段により受け付けた情報を、その際前記第１表示領域に表示されている画像データに関連付けて前記記憶部に記憶させる、
ことを特徴とする画像表示装置。
【発明の詳細な説明】
【技術分野】
【０００１】
本発明は、画像データとそれに関連する情報を表示部に表示可能な画像表示装置に関する。
【背景技術】
【０００２】
近年、液晶ディスプレイが搭載されているデジタルスチルカメラが多く製造販売されている。液晶ディスプレイは、撮影を行う際にスルー画像を表示したり、メモリカードに記録されている画像を表示することができる。液晶ディスプレイは、２〜３インチ程度の大きさが一般的である。近年のデジタルスチルカメラには、画像データと同時にその撮影情報（撮影日時や撮影条件）等の文字データや図形データ（アイコン）を、液晶ディスプレイに表示させることができるものもある。
【０００３】
特許文献１には、画像の撮影情報を確認することができるように、１つの液晶ディスプレイの表示画面上に、画像およびその撮影情報を表示させる構成が開示されている。具体的には、特許文献１には、表示画面の短辺方向を縦方向として、表示画面全体に１つの画像を表示し、中央を避けた位置に撮影情報を重畳して表示するデジタルカメラが開示されている。また、表示画面の短辺方向を縦方向として、表示画面を画像表示領域と撮影情報表示領域に区分して表示し、画像と撮影情報が重ならないように構成されたものも開示されている。
【特許文献１】特開２００２−２７２９０号公報
【発明の開示】
【発明が解決しようとする課題】
【０００４】
しかしながら特許文献１に開示されているように、表示画面の短辺方向を縦方向として、表示画面全体に１つの画像を表示し、中央を避けた位置に撮影情報を重畳して表示すると、撮影情報が表示された画像部分の視認が困難になるという問題があった。
【０００５】
一方、表示画面の短辺方向を縦方向として、表示画面を画像表示領域と撮影情報表示領域に区分して表示し、画像と撮影情報が重ならないようにすると、表示された画像の大きさが小さくなってしまい、画像の細部の視認が困難になるという問題があった。
【０００６】
一般的に、デジタルスチルカメラに搭載される液晶ディスプレイは、４：３または１６：９のアスペクト比を有し、短辺方向が縦方向になるように筐体に配されている。また、デジタルスチルカメラを正立状態（液晶ディスプレイの短辺方向が縦方向になるようなデジタルスチルカメラの姿勢）にして撮影を行うと、撮影された画像は、４：３または１６：９のアスペクト比を有し、短辺方向が縦方向となる。上記のような画像を、アスペクト比を維持しながら区分された表示領域に表示させると、画像の大きさが小さくなってしまう。
【０００７】
本発明は、上記問題に鑑み、画像データとそれに関連する撮影情報等の情報とを、分かりやすく表示できる画像表示装置を提供することを目的とする。
【課題を解決するための手段】
【０００８】
この目的を達成するために本発明の画像表示装置は、少なくとも互いに対向する２つの長辺と、互いに対向する２つの短辺とを含む略四角形状の表示画面を備えた表示部と、表示部の表示動作を制御する制御部とを備えた画像表示装置であって、制御部は、表示画面の短辺方向を縦方向として、表示画面内に１画面分の1画面表示領域を形成する第１の表示モードと、表示画面の長辺方向を縦方向として、表示画面内に２画面分の第１表示領域及び第２表示領域を形成し、第１表示領域と第２表示領域とを上下に並べるようにして形成する第２の表示モードとを備え、制御部は、第２の表示モードにおいて、第１表示領域に記憶部から読み出した画像データを表示し、第２表示領域に第１表示領域に表示する画像データに関連する情報を表示するものである。
【０００９】
これにより、第１表示領域に画像データを表示し、第２表示領域にその画像データと関連する情報を表示するので、両者を区別しつつ、関連付けて認識することができる。
【発明の効果】
【００１０】
本発明は、画像データとそれに関連する撮影情報等の情報とを、分かりやすく表示できる。
【発明を実施するための最良の形態】
【００１１】
（実施の形態１）
〔基本構成〕
図１は、実施の形態１における画像表示装置の一例である、撮像装置の構成を示すブロック図である。なお、以下の説明において撮像装置は、静止画をメインに撮影することができるデジタルスチルカメラであるものとして説明している。しかし、静止画撮影と動画撮影の両方が可能であるカメラも本発明の画像表示装置に含まれる。また、動画撮影のみが可能であるカメラも本発明の画像表示装置に含まれる。また、静止画撮影と動画撮影の両方が可能であるとしても、以下の説明では、静止画の撮影／再生動作についてのみ説明している。よって、以下の説明において「撮影モード」とは静止画撮影モードを指し、「再生モード」とは静止画再生モードを指している。
【００１２】
撮像装置は、撮像部１、画像処理部２、カードスロット３、内蔵メモリ５、バッファメモリ６、ＵＳＢ制御部７、マイクロコンピュータ（以下マイコンと称する）８、オンスクリーンディスプレイ（以下ＯＳＤと称する）コントローラ９、表示部１０、テレビ出力部１１、操作部１２を備えている。
【００１３】
撮像部１は、少なくともＣＣＤイメージセンサーやＣＭＯＳイメージセンサーなどで構成される撮像素子が含まれ、被写体側から入射される光学画像を電気信号に変換して出力している。なお、詳細は図示していないが、撮像部１には、撮像素子の他、フォーカスレンズやズームレンズなどのレンズ部や、撮像素子への入射光量を制限している絞り部なども含まれる。
【００１４】
画像処理部２は、撮像部１から出力される電気信号に対して、所定の信号処理を行い、画像データを生成するものである。例えば、画像処理部２には、ＷＢ調整部２ａと、ＹＣ処理部２ｂと、電子ズーム処理部２ｃと、圧縮伸張部２ｄとを備えている。
【００１５】
ＷＢ調整部２ａは、画像のホワイトバランスを調整するものであり、具体的には、画像の色合いを、実物の色合いに近くなるように調整したり、光源（蛍光灯や太陽光など）に合った適正な色に調整するものである。
【００１６】
ＹＣ処理部２ｂは、撮像画像に基づいて、輝度情報「Ｙ」と、輝度信号と青色の色差情報「Ｃｂ」と、輝度信号と赤色の色差情報「Ｃｒ」とからなる画像データを生成する。
【００１７】
電子ズーム処理部２ｃは、画像の一部（例えば中央）を所定の大きさでトリミングし、トリミングした画像を信号処理で元画像の大きさに拡大する処理である。例えば、撮影された１６００×１２００ドットの画像において、中央の１０２４×７６８ドットの画像を切り出し、データ補間を行いながら１６００×１２００ドットのサイズに拡大する処理である。なお、電子ズーム処理部２ｃは必須ではない。
【００１８】
圧縮伸張部２ｄは、画像データをＪＰＥＧ（Joint Photographic Expert Group）方式などの圧縮形式によって圧縮したり、圧縮されている画像データを伸張するものである。例えば、ＪＰＥＧ方式の場合は、まず、画像データの高周波成分と低周波成分の割合を数値化する離散コサイン変換処理を行う（ＤＣＴ処理）。次に、画像の階調やグラデーションを表現する段階を数値（量子化ビット数）で表現する量子化処理を行う。最後に、画像データのデータ容量をハフマン符号化処理で圧縮する。具体的には、画像データの信号文字列を一定のビット毎に区切り、出現頻度が高い文字列に対してより短い符号を与えていく処理である。なお、圧縮伸張部２ｄは必須ではなく、圧縮処理を行わないで画像を記録する方式でもよい。また、圧縮方式は、ＪＰＥＧ方式に限らず、他の方式であってもよい。
【００１９】
カードスロット３（媒体装着部）は、情報媒体であるメモリカード４を着脱可能なものであり、例えばメモリカード４との間でデータ通信が可能な電気接点を備えている。なお、カードスロット３は、上記形態に限らず、装着される情報媒体の種類に応じた形式となる。
【００２０】
メモリカード４（情報媒体、記憶部）は、カードスロット３に着脱可能で、撮像装置で撮影された画像データを記録させることができる。メモリカード４は、フラッシュメモリなどの半導体記憶素子が内蔵された半導体メモリが主流であるが、小径のハードディスクが内蔵されたカード型ドライブであってもよい。
【００２１】
内蔵メモリ５は、撮像装置に固定的に内蔵され、撮影された画像データを記録させることができる。内蔵メモリ５は、フラッシュメモリなどの半導体記憶素子が内蔵された半導体メモリが主流であるが、ハードディスクドライブであってもよい。
【００２２】
バッファメモリ６は、画像処理部２やマイコン８で画像データの信号処理などが行われる際に、一時的に画像データなどを保存させるものである。
【００２３】
ＵＳＢ制御部は、ＵＳＢ（Universal Serial Bus）規格に準拠したデータ通信が可能なインターフェースであり、ＵＳＢ通信ケーブルを着脱可能な端子と、撮像装置の出力データをＵＳＢ規格に準拠したデータ形式にエンコードするとともに受信データをデコードする変換回路などから構成される。ＵＳＢ制御部７には、パーソナルコンピュータやプリンターなどを接続でき、データ通信を行うことができる。
【００２４】
マイコン８（制御部）は、操作部１２からの操作命令により、画像処理部２、バッファメモリ６、ＵＳＢ制御部７、ＯＳＤコントローラ９、テレビ制御部１１を制御する。各部に対する詳しい制御内容については後述する。
【００２５】
ＯＳＤコントローラ９は、ＯＳＤデータを生成し、画像処理部２から出力される画像データに重畳、または画像データとは別に出力させるものである。ＯＳＤデータは、表示部１０に、画像データとともに表示させる各種情報のことであり、例えば撮影日時、撮影枚数、撮影条件などの情報がある。ＯＳＤデータは文字や図形（アイコン）で表示される。
【００２６】
表示部１０は、ＯＳＤコントローラ９から出力される画像データに基づいて画像を表示させることができるものである。具体的には、入力される画像データを、表示可能な信号に変換（例えばアナログ映像信号への変換）する表示制御回路や、実際に画像を表示するディスプレイなどで構成される。ディスプレイは、例えば２〜３インチ程度の液晶ディスプレイで構成されるが、ＥＬ（Electro-Luminescence）素子など、少なくとも画像を表示させることができるディスプレイであればよい。
【００２７】
テレビ出力部１１は、画像処理部２またはＯＳＤコントローラ９で生成された画像データを、外部接続されたテレビジョン受像機などの表示装置に出力することができる端子である。なお、テレビ出力部１１は必須ではない。
【００２８】
操作部１２は、使用者において各種操作を行うことができるものであり、撮影操作を行うことができるレリーズスイッチや、ズーミング操作を行うことができるズームスイッチなどで構成される。本実施の形態では、少なくとも図２に示すような操作ボタン類が配されている。
【００２９】
図２は、撮像装置の背面（表示部が配され、撮影時に撮影者側を向く面）を示す平面図である。
【００３０】
図２に示すように、装置本体２１には、レリーズスイッチ２３，モードダイヤル２４，ズームスイッチ２５，カーソルボタン２６，文字入力ボタン２７、文字変換ボタン２８、削除ボタン２９などの操作部が配されている。また、表示部１０の一種である液晶モニタ２２が配されている。なお、本実施の形態では、レリーズスイッチ２３とモードダイヤル２４は、装置本体２１の上面に配され、使用者の人差し指で操作されることを前提としている。また、ズームスイッチ２５，カーソルボタン２６，文字入力ボタン２７、文字変換ボタン２８、削除ボタン２９、表示切替ボタン３０は、装置本体２１の側面（撮影時に撮影者と対向する面）に配され、使用者の親指で操作されることを前提としている。
【００３１】
レリーズスイッチ２３は、撮影モードにおいて押圧操作することで、撮像部１の撮像素子に撮像されている光学画像を取り込み、画像データを生成させることができる。
【００３２】
モードダイヤル２４は，回転操作が可能なダイヤルで構成されている。モードダイヤル２４は、撮影モードや再生モードなどのように一般的なモード選択ができたり、接写モードや高速シャッタモードなど特殊撮影モードを選択することができる。撮影モードは、撮像部１で撮像されている光学画像を取り込み、画像データをメモリカード４または内蔵メモリ５へ保存させることができるモードである。再生モードは、メモリカード４または内蔵メモリ５に記録されている画像データを読み出して、表示部１０（液晶モニタ２２）に表示可能なモードである。
【００３３】
ズームスイッチ２５は、撮影モードにおいて、ズームレンズを望遠側へ移動させることができる望遠ボタン（図中「Ｔ」と表記されているボタン）と、ズームレンズを広角側へ移動させることができる広角ボタン（図中「Ｗ」と表記されているボタン）とから構成される。また、再生モードにおいてズームスイッチ２５を操作することで、液晶モニタ２２に表示されている画像データを部分的に拡大したり、マルチ表示（９枚の画像を一度に表示）に切り換えたりすることができる。なお、本実施の形態では、ズームスイッチ２５の操作に連動させてズームレンズを光軸方向へ移動させる光学ズームについて説明したが、撮像された画像を信号処理で拡大／縮小する電子ズームの操作も可能である。また、本実施の形態では、ズームスイッチ２５は押しボタンで構成したが、２方向へ操作可能なレバー式のスイッチで構成してもよい。また、再生モードにおける機能割り付けは、上記に限らない。
【００３４】
カーソルボタン２６は、液晶モニタ２２に表示されているメニュー画面などにおいて、上下左右方向への指示操作が可能なボタンである。カーソルボタン２６は、例えばデジタルスチルカメラが正立状態（図２に示す状態）で、上方向への指示操作が可能な第１のボタン２６ａ（第１の方向操作部）と、下方向への指示操作が可能な第２のボタン２６ｂ（第２の方向操作部）と、左方向への指示操作が可能な第３のボタン２６ｃ（第３の方向操作部）と、右方向への指示操作が可能な第４のボタン２６ｄ（第４の方向操作部）と、メニュー表示を行ったり各種決定操作などを行うことができるセンターボタン２６ｅとから構成されている。図２に示すように第１〜第４のボタン２６ａ〜２６ｄは、センターボタン２６ｅを中心にして、それぞれ上下左右位置に配置されている。なお、装置本体２１は、図２に示すように、通常使用時は液晶モニタ２２の短辺方向が縦方向となるようにして使用されるが、図３に示すように、液晶モニタ２２の長辺方向が縦方向となるようにして装置本体２１を把持し使用することもできる。図３に示す状態では、使用者から見て、第１のボタン２６ａは右方向への操作が可能になり、第２のボタン２６ｂは左方向への操作が可能になり、第３のボタン２６ｃは上方向への操作が可能になり、第４のボタン２６ｄは下方向への操作が可能な状態になる。また、カーソルボタン２６は、再生モードにおいては、液晶モニタ２２に表示されている画像を、別の画像に切り換えて表示するよう操作することができる。また、撮影モードにおいては、セルフタイマーのオン／オフ切り換えや、ストロボのオン／オフ切り換えなどを行うことができる。
【００３５】
文字入力ボタン２７は、再生モード（２画面表示）において操作することで、表示されている画像データに対してメモ書き等の文字を入力可能な状態（文字入力モード）にする。また、文字入力モードにおいて操作することで、文字を確定したり、文字入力モードを終了させることができる。
【００３６】
文字変換ボタン２８は、文字入力モードにおいて操作することで、文字（ひらがな）を漢字、カタカナ等へ変換することができる。
【００３７】
削除ボタン２９は、再生モードにおいて操作することで、メモリカード４または内蔵メモリ５に記録されている画像データのうち、任意の画像データを削除することができる。また、文字入力モードで操作することで直前に入力した１文字を削除できる。
【００３８】
表示切替ボタン３０は、再生モード（２画面表示）において操作することで、表示されている文字情報を別の情報に切替ることができる。
【００３９】
以下、動作について説明する。
【００４０】
〔撮影動作〕
まず、撮影動作について説明する。
【００４１】
図１において、撮像装置の電源が投入されて起動すると、レンズ等を介して入射される光学画像は撮像部１で結像される。撮像部１は、入射される光学画像を電気信号に変換して画像処理部２へ出力する。画像処理部２は、入力される電気信号に基づき画像信号を生成し、画像信号はＷＢ調整部２ａにおいて画像を適正な明るさや色合いに調整される。
【００４２】
次に、ＹＣ処理部２ｂにおいて、輝度信号Ｙと色差信号Ｃｒ及びＣｂとに分離され、色差信号Ｃｒ及びＣｂの情報量を減らす処理が行われる。色差信号Ｃｒ及びＣｂの情報量の削減処理は、例えば、画像の主走査方向の色情報を間引く「４：２：２ダウンサンプリング処理」や、画像の縦横方向の色情報を間引く「４：１：１ダウンサンプリング処理」などがある。
【００４３】
画像処理部２において処理された画像データは、ＯＳＤコントローラ９に入力され、ＯＳＤデータが重畳される。ＯＳＤデータとは、現在日時、撮影日時、撮影条件などの各種情報を文字またはアイコン化したものであり、例えば図１０（ａ）における電池残量マーク３４や画像枚数情報３５のことである。
【００４４】
ＯＳＤコントローラ９から出力される画像データは、表示部１０において表示される。この時、表示部１０に表示される画像データは、圧縮処理が行われる前の画像（いわゆるスルー画像）である。
【００４５】
表示部１０にスルー画像が表示されている状態で、撮影者が操作部１２におけるレリーズスイッチ２３（図２参照）を操作すると、マイコン８は画像処理部２を制御し、圧縮伸張部２ｄにおいて画像データの圧縮処理が行われる。具体的には、画像データの高周波成分と低周波成分の割合を数値化する離散コサイン変換処理や、画像の階調やグラデーションを表現する段階を量子化ビット数で表現する量子化処理や、画像データの信号文字列を一定のビット毎に区切り、出現頻度が高い文字列に対してより短い符号を与えていくハフマン符号化処理などが実行される。
【００４６】
圧縮された画像データは、ＯＳＤコントローラ９でＯＳＤ信号が重畳されて、表示部１０に表示される。また、圧縮された画像データは、カードスロット３を介してメモリカード４に記録されるか、内蔵メモリ５に記録される。なお、メモリカード４と内蔵メモリ５のうちどちらに記録するかは、使用者が任意に設定できる。
【００４７】
また、撮影時、レリーズスイッチ２３を操作する前に、ズームスイッチ２５を操作して画像の拡大や縮小をすることができる。具体的には、ズームスイッチ２５を操作することで、撮像部１に含まれているズームレンズを光軸方向へ動作させ、光学的に光学画像の拡大や縮小を行う光学ズームや、電子ズーム処理部２ｃにおいて画像の一部（一般には中央）をトリミングし、画素補間しながら画像を拡大または縮小する電子ズームによって、画像の拡大や縮小を行うことができる。
【００４８】
ここで、メモリカード４または内蔵メモリ５への記録動作について詳しく説明する。
【００４９】
まず、メモリカード４などに記録しようとしている画像データには、ファイル名が付与される。ファイル名は、メモリカード４などに記録されているファイル管理テーブルによって管理されている。また、ファイル管理テーブルは、マイコン８によって情報の書き込みや書き換えなどが行われる。
【００５０】
図４は、ファイル管理テーブルの一例を示している。図４に示すように、ファイル管理テーブルは、英数字４桁から構成されるファイル番号と、英数字３桁から構成されるディレクトリ番号と、プロテクトやお気に入りの有無などの管理情報などから構成される。実際には、図４に示すもの以外に管理すべき情報があるが、ここでの説明は割愛する。
【００５１】
ファイル番号は、画像データ一つ一つに付与される番号であり、一般的には記録される順番に連続的な英数字で構成される。図４に示す例では、ディレクトリ番号内で連続的なファイル番号が付与されており、例えばディレクトリ番号「１００」においては、ファイル番号「０００１」、「０００２」、「０００３」、・・・の順番にファイル番号が付与されている。また、ディレクトリ番号「１０１」においては、ファイル番号「０００１」・・・が付与されている。
【００５２】
ファイル名を付与する際は、ファイル名の１桁目がファイル共通のアルファベットで、次に３桁のディレクトリ番号が付与され、次に４桁のファイル番号が付与され、合計８桁の名前が完成する。例えば、図４において最上段のファイルの名前は、１桁目が「Ｐ」で、それに続く２〜４桁目はディレクトリ番号「１００」で、それに続く５〜８桁目はファイル番号「０００１」となり、「Ｐ１０００００１」という名前となる。このようにしてできた名前に、「．ＪＰＧ」などの拡張子が付与されることで、ファイル名が完成する。
【００５３】
図５は、メモリカード４のディレクトリ構造を示している。メモリカード４に記録されている内容をパソコンなどで開くと、ファイル管理テーブルに基づいて図５に示すようなディレクトリ構造でファイルやフォルダが管理されている。
【００５４】
図５に示すように、ルートディレクトリはメモリカード４を指している「リムーバブルディスク」である。「リムーバブルディスク」には、「ＤＣＩＭ」と「ＭＩＳＣ」という名前のサブディレクトリが存在する。ＤＣＩＭディレクトリ内には、「１００」、「１０１」、・・・のサブディレクトリが存在する。このサブディレクトリ名が、図４におけるディレクトリ番号に相当する。各サブディレクトリ内には、図４に示すファイル管理テーブルに基づいて作成されたファイル名が付与された画像ファイルが保存されている。また、ＭＩＳＣディレクトリ内には、使用者によりお気に入り画像としてマークされた画像の情報が格納されている「AUTPLAY.MRK」ファイルが保存されているが、説明は省略する。
【００５５】
次に、画像ファイルをメモリカード４などへ保存させる際は、画像ファイル毎に記録アドレスを指定してから、画像ファイルの記録動作を行う。図６は、メモリカード４のＦＡＴ管理テーブルを示している。図６に示すように、ＦＡＴ管理テーブルは、各ファイル名に対応した記録アドレスが指定されている。図中の記録アドレスは、メモリカード４の記録領域におけるセクタまたはクラスタのアドレスを示している。また、このようなＦＡＴ管理テーブルは、メモリカード４に記録され、マイコン８によって情報の書き込みや書き換えなどが行われる。
【００５６】
なお、内蔵メモリ５におけるファイル管理テーブル、ＦＡＴ管理テーブル（図７参照）、ディレクトリ構造（図８参照）については、上記説明したメモリカード４の場合とほとんど同様であるので、説明は省略する。
【００５７】
〔再生動作〕
撮影モードから再生モードへ移行させる際は、モードダイヤル２４を操作して、再生モードを選択する。再生モードが選択されると、メモリカード４または内蔵メモリ５に記録されているファイル管理テーブル（図４参照）とＦＡＴ管理テーブル（図６参照）が読み出され、バッファメモリ６へ一時的に保存される。
【００５８】
使用者が操作部１２を操作して所望の画像ファイルが選択されると、マイコン８は、バッファメモリ６に保存されているＦＡＴ管理テーブルにアクセスし、操作部１２において選択された画像ファイルの記録アドレスを確認する。次に、記録アドレスに基づいて、メモリカード４における所定のアドレスにアクセスし、画像ファイルを読み出す。
【００５９】
なお、メモリカード４に記録されている画像ファイルは、図９に示すようにヘッダー情報と画像データとから構成されている。ヘッダー情報には、撮影日時の情報、シャッタースピードや絞り開度などの撮影条件の撮影情報、画像の回転情報、使用者による追加情報（詳細は後述する）などの各種情報や、サムネイル画像（画像リストなどに使用される縮小画像）の情報が含まれている。なお、使用者による追加情報はメーカ独自の情報であるメーカノートの一部として構成される。
【００６０】
メモリカード４から読み出された画像ファイルのうち、ヘッダー情報はバッファメモリ６に一時的に保存され、適宜マイコン８から読み出される。読み出されたヘッダー情報は、例えばＯＳＤ信号の生成に使用される。
【００６１】
また、メモリカード４から読み出された画像ファイルのうち、画像データは、画像処理部２の圧縮伸張部２ｄにおいて、圧縮前の画像データに伸張処理される。伸張された画像データは、ＯＳＤコントローラ９に出力される。ＯＳＤコントローラ９は、読み出された画像ファイルのヘッダ情報に基づいて、撮影日時や撮影条件（シャッタースピードなど）の情報を文字またはアイコン化したＯＳＤ信号を生成する。生成されたＯＳＤ信号を画像データに重畳して表示部１０へ出力する。表示部１０は、入力される画像データに基づき、画像を表示する。
【００６２】
次に、他の画像を表示させる場合は、使用者によってカーソルキー２６における第３のボタン２６ｃまたは第４のボタン２６ｄが操作されることによって、マイコン８はバッファメモリ６に保存されているＦＡＴ管理テーブルにアクセスする。以降、上記同様に、指定された画像ファイルが記録されている記録アドレスを確認し、その記録アドレスに基づきメモリカード４から画像ファイルを読み出す。読み出された画像ファイルのうち、ヘッダー情報はバッファメモリ６に保存され、画像データは前述と同様に伸張処理される。伸張処理された画像データは、ＯＳＤ信号が重畳されて、表示部１０に表示される。
【００６３】
〔通信動作〕
図１において、メモリカード４に記録されている画像ファイルを、ＵＳＢ通信で外部機器（パソコンやプリンターなど）へ出力する際の動作について説明する。
【００６４】
まず、撮像装置および外部機器には、ＵＳＢドライバソフトウェアがインストールされていることを前提とする。撮像装置と外部機器とをＵＳＢケーブルで接続すると、撮像装置と外部機器との間で認証動作を行い、互いにデータ通信が可能な状態になる。
【００６５】
外部機器がパソコンである場合は、パソコンを操作して、メモリカード４に記録されている画像ファイルをパソコンに読み出したり、パソコンのハードディスクなどに記録されている画像ファイルなどをメモリカード４へ書き込んだりすることができる。
【００６６】
また、外部機器がプリンターである場合は、撮像装置における操作部１２を操作して、印刷したい画像ファイルを選択するとともに、印刷命令を入力する。次に、印刷命令である制御信号がプリンターへ送信される。プリンターは、入力される制御信号に基づいて、印刷すべき画像ファイルをメモリカード４から取得し、取得した画像ファイルの画像データを印刷することができる。
【００６７】
〔表示動作〕
撮像装置は、図２に示すように４：３や１６：９などのアスペクト比を有する長方形の液晶モニタ２２が、装置の正立状態において短辺方向が縦方向となるように配されている。一般的には、図２に示す正立状態で、撮影や画像再生が行われる。図２に示す正立状態で撮影された画像は、短辺方向が縦方向となる長方形の画像である。
【００６８】
一方、撮像装置を図３に示すように、液晶モニタ２２の長辺方向が縦方向となる状態で、撮影や画像再生を行うこともできる。
【００６９】
図１において、撮影された画像を表示部１０に表示させる際は、操作部１２による再生命令に基づき、マイコン８が画像処理部２を制御してメモリカード４または内蔵メモリ５から画像ファイルを読み出す。読み出された画像ファイルのうち、ヘッダー情報はバッファメモリ６に格納され、画像データは画像処理部２で画像処理される。マイコン８は、画像処理部２から出力される画像データをＯＳＤコントローラ９へ出力させる。ＯＳＤコントローラ９は、入力される画像データにＯＳＤ信号を重畳させ、表示部１０へ出力する。表示部１０は、入力される画像データに基づき、画像を表示する。
【００７０】
図１０は、液晶モニタ２２の表示内容を示している。図１０（ａ）は、液晶モニタ２２の短辺方向が縦方向となっている状態で、短辺方向が縦方向となる画像が表示されている。なお、図１０（ａ）において、画像が表示されている領域を１画面表示領域と称する。図１０（ｂ）は、メニュー画面が表示されている状態を示している。図１０（ｃ）は、液晶モニタ２２の長辺方向が縦方向となっている状態であり、画像は２画面の上段画面に表示されている。
【００７１】
次に、２画面表示について説明する。
【００７２】
２画面表示とは、表示画面を２つの画面に分け、画像と、撮影日時や撮影条件（シャッタースピードなど）の文字情報を同時に別画面に表示させる表示方法のことである。本実施の形態の撮像装置で２画面表示を行う際は、まず図１０（ａ）に示すように、短辺方向が縦方向になる状態の液晶モニタ２２上に、横長の画像３３が表示されている状態で、センターボタン２６ｅを操作する。センターボタン２６ｅが操作されると、図１０（ｂ）に示すように再生メニューが表示される。図１０（ｂ）に示す再生メニューは、再生モードにおける各種機能の設定をすることができ、２画面表示の設定をはじめ、一定時間間隔で連続的に画像を切り換え表示させるスライドショーの設定や、使用者が特定の画像にマークを付与することができるお気に入り機能の設定などを行うことができる。なお、再生メニューの他に、撮影に関する機能を設定可能な撮影メニューや、撮像装置の内部時計の設定などができる初期設定メニューなども存在するが、本説明においては省略する。
【００７３】
図１０（ｂ）に示す再生メニューにおいて、図２に示す第１のボタン２６ａまたは第２のボタン２６ｂを操作することで、図１０（ｂ）におけるカーソル３２を上方向または下方向へ移動させることができ、所望の機能を選択することができる。選択後は、センターボタン２６ｅを操作することによって、カーソル３２で選択されている機能を起動させることができる。２画面表示機能を起動させる際は、再生メニューにおける「２画面表示」にカーソル３２を合わせ、センターボタン２６ｅを操作することで、図１０（ｃ）に示すように２画面表示モードへ移行させることができる。
【００７４】
図１０（ｃ）に示すように、２画面表示モードへ移行させると、液晶モニタ２２の長辺方向が縦方向となる状態において、画像４１と撮影日時や撮影条件の文字情報が液晶モニタ２２の長辺方向に並んで表示される。表示される画像４１と文字情報は、それぞれ短辺方向が縦方向となるように表示される。すなわち、縦長の画面に対して、画像が横長配置で表示される。図１０（ｃ）に示す画像のアスペクト比は、図１０（ａ）に示す画像のアスペクト比と同等である。なお、画像４１が表示されている領域を第１の表示領域と称し、文字情報が表示されている領域を第２の表示領域と称する。２画面表示モードへの移行直後は、第１の表示領域には、モード移行前に表示されていた画像が表示され、第２の表示領域には、その文字情報が表示される。図１０に示す例では、枚数表示３５に示すように、画像４１は４５枚中１枚目の画像である。
【００７５】
図１０において、枚数表示３５、撮影日時表示３６などは、図１に示すＯＳＤコントローラ９で生成されたＯＳＤ信号に基づく表示である。ＯＳＤ表示は、液晶モニタ２２の表示方向に連動して、表示方向が制御される。すなわち、図１０（ａ）や図１０（ｂ）に示す表示モードの時は、表示されるＯＳＤ表示（電池残量表示３４や枚数表示３５、メニュー画面など）は、液晶モニタ２２の短辺方向を縦方向として表示させるよう制御している。また、図１０（ｃ）に示す表示モードの時は、ＯＳＤ表示（撮影日時表示３６や撮影枚数３５など）は、液晶モニタ２２の長辺方向を縦方向として表示させるよう制御している。
【００７６】
図１０（ｃ）に示す状態において、液晶モニタ２２に表示される画像等を目視確認したり、各種操作を行う際は、撮像装置を図３に示すように液晶モニタ２２の長辺方向が縦方向となる状態にする。この時、カーソルキー２６において、第１のボタン２６ａは右方向への操作が可能であり、第２のボタン２６ｂは左方向への操作が可能であり、第３のボタン２６ｃは上方向への操作が可能であり、第４のボタン２６ｄは下方向への操作が可能である。よって、２画面表示モードの時、撮像装置を図３に示す状態にすることで、２画面表示されている画像および文字情報を視認しやすくできる。さらに、カーソルキー２６の操作方向と液晶モニタ２２に表示切り換え方向とを一致させることができるので操作性を向上させることができる。
【００７７】
図１０（ｃ）に示す２画面表示モードにおいて、センターボタン２６ｅを操作することで、図１０（ａ）に示す通常表示モードに移行（すなわち、２画面表示モードの終了）させることができる。
【００７８】
次に、２画面表示モードにおける、画像の表示切り換えについて説明する。
【００７９】
まず、前提として、画像データはメモリカード４または内蔵メモリ５に記録されている。また、画像データは、撮影日時順に記録され、その順番における各画像を、「画像Ａ」、「画像Ｂ」、「画像Ｃ」、・・・と定義する。また、画像Ａを通常表示モード（図１０（ａ）参照）で表示されている状態で、２画面表示モードに移行されたものとする。また、２画面表示モードは、撮像装置を図３に示す状態にして使用されるものとする。
【００８０】
図１１は、２画面表示モードにおける表示状態を示している。２画面表示モードは、前述したように撮像装置を図３に示す状態にして使用されることを前提としているため、図１１に示すように液晶モニタの長手方向が縦方向となっている状態で、画像や各種情報の表示方向が正立方向となるようにしている。
【００８１】
図１１（ａ）に示すように、２画面表示モードに移行されると、第１の表示領域５１に画像Ａを表示させ、第２の表示領域５２に撮影日時や撮影条件等の文字情報を表示させる。この時、図１１（ａ）に示す表示状態において、図３における第２のボタン２６ａが操作されると、図１１（ｂ）に示すように第１の表示領域５１に、画像Ｂを表示させる。
【００８２】
さらに、図１１（ｂ）に示す状態において、図３における第２のボタン２６ａが操作されると、図１１（ｃ）に示すように第１の表示領域５１に、画像Ｃを表示させる。なお、図１１（ａ）に示す状態から図１１（ｂ）に示す状態へ切り替わる際、および図１１（ｂ）に示す状態から図１１（ｃ）に示す状態へ切り替わる際、第２の表示領域５２には、各画像に付帯する撮影条件等の文字情報が表示される。
【００８３】
また、図１１（ｃ）に示す状態から第１のボタン２６ｂが操作されることで、図１１（ｂ）や図１１（ａ）に示す状態へ表示を切り換えることができる。
【００８４】
〔文字入力〕
次に、撮像装置を２画面表示モードにして文字入力する際の動作について説明する。操作部１２を操作して、第１の表示領域５１にメモ書きしたい画像Ａ、第２の表示領域５２にその撮影情報を表示させた状態にする（図１２（a））。
【００８５】
この状態で文字入力ボタン２７を押すことによりマイコン８の制御によって文字入力モードに入り、第２の表示領域５２にアルファベット入力表７１および文字カーソル７２、入力文字表示領域７３が表示される（図１２（ｂ））。したがって、第２の表示領域５２はマイコン８の制御により情報設定画面として機能する。
【００８６】
カーソルボタン２６の第１〜第４のボタン２６ａ〜２６ｄを操作して選択したいアルファベットにカーソルを移動させてセンターボタン２６ｅを押すことでローマ字入力する（図１２（ｃ））。入力文字表示領域６３にひらがなが表示された状態で文字変換ボタン２８を押すことで漢字、カタカナ等の変換候補が表示される（図１２（ｄ））。文字変換ボタン２８を押す毎に次の候補が表示され、文字入力ボタン２７を押すことにより文字を確定する（図１２（ｅ））。また、文字入力中に削除ボタン２９を操作することで直前に入力した１文字を削除できる。
【００８７】
全文字を確定した状態で、さらに文字入力ボタン２７を押す。これにより、上記のようにして第２の表示領域５２に入力した文字情報を、その際第１の表示領域に表示している画像データに関連付けることができる。具体的には、上記入力された文字情報をヘッダ情報の追加情報の領域に書き込む。但し、上記入力した文字情報を、第１の表示領域に表示している画像データに関連付けることができれば、他の方法でも構わない。例えば、管理ファイルを用いて、画像データと関連データとの関連付けを行ってもよい。
【００８８】
そして、文字入力モードを終了して図１２（a）の状態に戻る。また。この状態で表示切替ボタン３０を押すことにより、第２の表示領域５２の表示を追加情報（メモ）に切替ることができる（図１２（ｆ））。表示切替ボタン３０をもう一度押すことで図１２（a）の状態に戻る。
【００８９】
〔縦画像の表示〕
上記説明では、短辺方向が縦方向となる画像の表示について説明したが、本実施の形態では、長辺方向が縦方向となる画像（以下、縦画像と称する）の表示も行うことができる。縦画像は、例えば、撮像装置を図３に示す状態にして撮影された画像である。
【００９０】
撮像装置で縦画像を撮影する際、撮像装置内の角度センサーにより、撮像装置が図３に示す状態になっていることが検出される。その角度センサーの検出信号により、図９に示す画像ファイルのヘッダー情報に、画像の回転情報が書き込まれる。なお、角度センサーにより検出される角度は、撮像装置が図２に示す正立状態を基準（０度）とし、９０度、１８０度、２７０度などである。例えば、図３に示す状態は、２７０度に相当する。
【００９１】
次に、縦画像を再生する際は、画像ファイルのヘッダー情報における回転情報を読み出し、その回転情報に基づいて画像の表示開始位置を特定する。図１３（ａ）及び図１３（ｂ）はメモリカード４から読み出されバッファメモリ６に一時保存されている縦画像を示している。撮影された画像は、撮像素子の画角方向を基準にして記録されるため、縦画像は図１３（ａ）に示す状態で記録される。
【００９２】
縦画像を再生する際は、図１３（ａ）に示すようにメモリカード４などから読み出され再生された画像６０について、ヘッダー情報の回転情報に基づき、回転処理が行われる。具体的には、ヘッダー情報の回転情報によって、画像６０における読み出し開始位置を異ならせている。通常の画像（回転情報が０度）の場合は画像の左上から読み出されるが、例えば回転情報が「２７０度」の場合は画像の左下から読み出される。具体的には、図１３（ｂ）に示すように、画像６０の左下位置である位置６２から矢印Ａ方向へ向かって、１列毎に読み出しを開始する。次に、１列毎に矢印Ｂ方向に向かって画像が読み出されていく。これにより、図１３（ｃ）に示すように、縦画像６１を得ることができる。
【００９３】
なお、回転情報が９０度の場合は、図１３（ａ）に示す画像６０の右上から読み出しを行う。また、回転情報が１８０度の場合は、図１３（ａ）に示す画像６０の右下から読み出しを行う。
【００９４】
次に、２画面表示モードにおける縦画像表示について説明する。
【００９５】
図１４は、２画面表示モードにおいて第１の表示領域５１に縦画像５６を表示させた状態を示している。図１４に示すように、表示領域に、アスペクト比を維持して縦画像５６を表示させると、第１の表示領域５１に表示されている横画像に比べてサイズが縮小されて表示される。また、縦画像５６の両側には、画像が表示されない部分５７が発生する。
【００９６】
〔プリンタ出力〕
次に、画像データをプリンタに出力する際の動作について説明する。
【００９７】
図１において、ＵＳＢ制御部７に、画像データを伝送可能なＵＳＢ通信ケーブルを接続する。ＵＳＢ通信ケーブルの他端は、プリンタのＵＳＢ入力端子へ接続する。次に、プリンタの電源を投入し印刷可能な状態に設定する。次に、撮像装置の電源を投入し、操作部１２を操作して、プリンタに出力したい画像ファイルを選択する。これにより、選択された画像ファイルの画像データがプリンタへ出力される。
【００９８】
撮像装置を２画面表示モードにしてプリンタに画像を出力させる場合は、操作部１２を操作して、第１の表示領域５１にプリンタに出力したい画像、第２の表示領域５２にその撮影条件等の文字情報を表示させた状態にしてプリンタへ出力する。この情報は、文字情報に限らず、絵記号等であってもよい。そして、この情報は、第１の表示領域５１に表示された画像データと関連する情報であればよい。例えば、撮影条件、撮影日時、撮影者の情報などである。このような情報は、Ｅｘｉｆ形式の画像ファイルの場合、ファイルのヘッダに書き込まれたものであってもよい。また、ＤＰＯＦファイルのように画像ファイルとは別に管理ファイルを設け、その管理ファイルに記載された情報を、画像データと関連する情報としてもよい。また、画像データと関連する情報は、画像データとともにメモリカード４や内蔵メモリ５においてもよい。このように、画像データに関連する情報を、画像データとともに同一の記憶手段に格納しておくことで、相互に関連付けるための管理を容易にすることができる。但し、画像データに関連する情報とその画像データとを、別の記憶手段に格納しておいてもよい。
【００９９】
また、画像データとそれに関連する情報との混合は、例えば、撮像装置側でビットマップデータとして作成して、これをプリンタに送信することで実現できる。その他、撮像装置から画像データを圧縮データとして送信し、画像データに関連する情報を文字コードで送信し、プリンタ側でそれらを混合してもよい。要するに、表示部１０で表示される画像データと関連情報とのレイアウトが、ほぼプリンタからのプリントアウトにより再現できればよい。
【０１００】
これにより、マイコン８の制御によって画像および文字情報を上下に並べて形成したデータがプリンタに出力され、表示状態とほぼ同じ又は全く同じイメージで印刷される。
【０１０１】
〔実施の形態の効果、他〕
以上のように本実施の形態では、液晶モニタ２２の長辺方向が縦方向となる状態で、短辺方向が縦方向となる画面を上下に２つ並べ、画像および文字情報を夫々に配置させて表示させる２画面表示モードを有することにより、画面と同時に付帯する文字情報を表示させた際の画像の解像度をできるだけ高くすることができるので、画像の視認性を向上させることができる。
【０１０２】
また、第１の表示モードにおいては、表示画面の短辺方向を縦方向としてオンスクリーンディスプレイ表示を表示させるよう制御するとともに、第２の表示モードにおいては、表示画面の長辺方向を縦方向としてオンスクリーンディスプレイ表示を表示させるよう制御することにより、第１の表示モード及び第２の表示モードにおいて、画像の表示方向とオンスクリーンディスプレイ表示の表示方向とを一致させることができる。
【０１０３】
また、第２の表示モードにおいて、第１の表示領域５１に表示された画像データをプリンタなどの外部機器に出力する旨の指示が入力された場合、第１の表示領域における画像データおよび第２の表示領域における文字データを上下に並べるようにして形成したデータとして外部機器に出力することにより、画像および文字情報を表示状態のイメージのままでプリンタ等の外部機器に出力できる。
【０１０４】
また、第２の表示モードにおいて、文字入力手段を設けることにより、画像の解像度をできるだけ高くした状態で画像を確認しながら使用者がメモ書き等の画像の追加情報を付与することができる。
【０１０５】
また、第２の表示モードにおいて、図２におけるズームスイッチ２５が操作されると、第１の表示領域に表示されている画像を拡大または縮小表示させることができる構成としてもよい。この場合、例えばズームスイッチ２５のＴ側が操作されると画像を拡大させ、Ｗ側が操作されると画像を縮小させるように制御することができる。画像の拡大／縮小倍率は、ズームスイッチ２５がＴ側／Ｗ側に１回操作される毎に、予め設定されている倍率で拡大／縮小させることができる。例えば、ズームスイッチ２５のＴ側が１回操作される毎に、１２０％、１４０％、…と段階的に拡大表示させ、ズームスイッチ２５のＷ側が操作される度に、８０％、６０％、…と段階的に縮小表示させることができる。なお、拡大または縮小された画像は、他の画像へ表示切り換えされた時に元のサイズに戻される構成でもよいし、他の画像へ表示切り換えされたとしても画像毎に拡大／縮小サイズが維持される構成でもよい。
【０１０６】
なお、カードスロット３と内蔵メモリ５は、本実施の形態では両方備えたが、いずれか一方のみ備える構成でもよい。また、第２の表示モードにおいて、第２の表示領域に画像に付帯する文字情報を表示するようにしたが、図形データ（アイコン）を含めて表示してもよい。
【産業上の利用可能性】
【０１０７】
本発明の画像表示装置は、少なくとも短辺と長辺を有する表示部を備え、画像データを表示させることができる機器に利用可能であり、その応用例としては、デジタルスチルカメラやデジタルビデオカメラやカメラ付き携帯電話機などの撮像装置や、ＰＤＡや携帯型ゲーム機などがある。
【図面の簡単な説明】
【０１０８】
【図１】実施の形態１における画像表示装置の構成を示すブロック図
【図２】実施の形態１における撮像装置の側面図
【図３】実施の形態１における撮像装置の側面図
【図４】画像ファイルのファイル管理テーブルを示す図
【図５】メモリカードのディレクトリ構造を示す図
【図６】メモリカードのＦＡＴ管理テーブルを示す図
【図７】内蔵メモリのＦＡＴ管理テーブルを示す図
【図８】内蔵メモリのディレクトリ構造を示す図
【図９】画像ファイルの構造を示す図
【図１０】１画面表示モードおよび２画面表示モードの表示状態を示す模式図
【図１１】２画面表示モードの表示状態を示す模式図
【図１２】２画面表示モードの文字入力時の表示状態を示す模式図
【図１３】縦画像の表示動作を説明するための模式図
【図１４】２画面表示モードにおいて縦画像を表示させた状態を示す模式図
【符号の説明】
【０１０９】
２    画像処理部
３    カードスロット
４    メモリカード
５    内蔵メモリ
８    マイコン
９    ＯＳＤコントローラ
１０    表示部
１１    テレビ出力部
１２    操作部
【図１】
2008022514.tif 000003
【図２】
2008022514.tif 000004
【図３】
2008022514.tif 000005
【図４】
2008022514.tif 000006
【図５】
2008022514.tif 000007
【図６】
2008022514.tif 000008
【図７】
2008022514.tif 000009
【図８】
2008022514.tif 000010
【図９】
2008022514.tif 000011
【図１０】
2008022514.tif 000012
【図１１】
2008022514.tif 000013
【図１２】
2008022514.tif 000014
【図１３】
2008022514.tif 000015
【図１４】
2008022514.tif 000016